【事件の表示】
　特願２００３−２７４７９０「ゲートＰＣＢ及びＦＰＣがない液晶表示装置」拒絶査定不服審判事件〔平成１６年　２月２６日出願公開、特開２００４−　６２２０１〕について、次のとおり審決する。
【結　論】
　本件審判の請求は、成り立たない。
【理　由】
１　手続の経緯・本願発明
　本願は、平成１５年７月１５日（パリ条約による優先権主張２００２年７月２９日）の出願であって、平成２１年４月３日付けで手続補正がなされ、同年７月２８日付けで拒絶査定がなされ、これに対し、同年１２月４日に拒絶査定不服審判請求がなされたものである。
　
　そして、本願の請求項に係る発明は、平成２１年４月３日付け手続補正による補正後の明細書及び図面の記載からみて、その特許請求の範囲の請求項１及び２に記載された事項によって特定されるものと認められるところ、請求項１に係る発明は次のとおりである。
　
「アレイ（ａｒｒａｙ）基板とカラーフィルター基板とが、それらの間に液晶層を介在させて合着し形成された液晶パネルと、
　前記液晶パネルのソース（ｓｏｕｒｃｅ）部及びゲート（ｇａｔｅ）部に各々付着されゲート及びソースドライバーＩＣが搭載された複数個のソースＴＣＰ（Ｔａｐｅ　Ｃａｒｒｉｅｒ　Ｐａｃｋａｇｅ）及びゲートＴＣＰと、
　前記ソースＴＣＰと連結されてソースドライバーＩＣに所定の駆動信号を印加するソースＰＣＢ（Ｐｒｉｎｔｅｄ　Ｃｉｒｃｕｉｔ　Ｂｏａｒｄ）と、
　前記ソースＰＣＢからの信号を前記ゲートＴＣＰに具備された駆動信号の配線を経てゲートドライバーＩＣに印加するために前記液晶パネルに形成されたＬＯＧ（Ｌｉｎｅ　Ｏｎ　Ｇｌａｓｓ）配線とを備え、
　前記液晶パネル縁部の前記ゲートＴＣＰ接続が接続される辺側を除いた領域に前記アレイ基板カラーフィルター基板間にトランスファー（ｔｒａｎｓｆｅｒ）及び前記トランスファーを相互に連結するためのコモン配線が形成されてカラーフィルター基板にコモン（ｃｏｍｍｏｎ）電圧が印加されるようにしたゲートＰＣＢ及びＦＰＣがない液晶表示装置であって、
　前記ＬＯＧ配線の抵抗を低くして形成するために、前記ＬＯＧ配線はトランスファーを相互に連結するための前記コモン配線は省略され、前記ＬＯＧ配線はゲートドライバーＩＣの駆動信号配線のみで構成されることを特徴とするゲートＰＣＢ及びＦＰＣがない液晶表示装置。」（以下「本願発明」という。）
　
　ただし、請求項１中の「復数個」は、「複数個」の誤りであると認められるから、上記のとおり認定した。
　
　
２　引用刊行物の記載事項
（１）引用刊行物１
　原査定の拒絶の理由に引用され、本願の優先日前に頒布された刊行物である特開２０００−３５６７８３号公報（以下「引用刊行物１」という。）には、図とともに下記の事項が記載されている。
　
　ア　「【０００１】
【発明が属する技術分野】本発明は，テープキャリヤパッケージ，テープキャリアパッケージを有する液晶表示パネルアセンブリ，液晶パネルアッセンブリを採用した液晶表示装置及びその組立方法に関する。」
　
　イ　「【００３９】以下，図１から図３を参照しながら，第１の実施の形態について説明する。図１は，本実施形態にかかる液晶表示装置の分解斜視図である。図２は，本実施形態にかかる液晶表示パネルの斜視図である。図３は，本実施形態にかかる液晶表示パネルの部分切開分解斜視図である。
【００４０】図１に示すように，本発明による液晶表示装置６０１は，全体的に液晶表示パネルアセンブリ２００と，バックライトアセンブリ３００と，シャシ４００と，カバー５００とを含む。
・・・
【００４２】図２を参照すると，液晶表示パネルアセンブリ２００は，液晶表示パネル２４０，２５０と，液晶（図示せず）と，ゲートテープキャリヤパッケージ２１０と，データテープキャリヤパッケージ２２０と，統合印刷回路基板２６０から構成される。
【００４３】図３を参照すると，液晶表示パネル２４０，２５０は，ゲートライン（図示せず）及びデータライン（図示せず）と，薄膜トランジスタと，画素電極等を含むＴＦＴ基板２４０と，ＴＦＴ基板２４０より小さく，ＴＦＴ基板２４０に対応するように設置されたカラーフィルタ基板２５０とを含む。
【００４４】ＴＦＴ基板２４０に実装されるテープキャリヤパッケージ２１０，２２０は，ＴＦＴ基板２４０に形成された各々のゲートラインに接続されたゲートテープキャリヤパッケージ２１０及びゲートラインに直交するデータライン（図示せず）に接続されたデータテープキャリヤパッケージ２２０から構成される。
【００４５】また，ＴＦＴ基板２４０に実装されたテープキャリヤパッケージ２１０，２２０に電気的に接続された統合印刷回路基板２６０では，ゲートテープキャリヤパッケージ２１０にゲート駆動信号及びデータテープキャリヤパッケージ２２０にデータ駆動信号が入力されてゲート駆動信号及びデータ駆動信号を処理するための多様な部品が実装される。
・・・
【００４７】図３に示すように，カラーフィルタ基板２５０は透明なガラス基板であって，透明ガラス基板の一側面には格子形状のブラックマトリクス（図示せず）と，ＲＧＢ顔料が混ぜたフォトレジストを写真―現像―エッチングして製作したＲＧＢ画素（図示せず）及び透明導電性であるＩＴＯ（Ｉｎｄｉｕｍ  Ｔｈｉｎ  Ｏｘｉｄｅ）電極（図示せず）が半導体薄膜工程により形成されて，このＩＴＯ電極は共通電極としての役割をする。
【００４８】一方，カラーフィルタ基板２５０と対応するＴＦＴ基板２４０も所定面積を有する透明ガラス基板で，透明ガラス基板には複数個の薄膜トランジスタ（Ｔｈｉｎ  Ｆｉｌｍ  Ｔｒａｎｓｉｓｔｏｒ：図示せず）が半導体薄膜工程を介してマトリクス形態で製作される。
【００４９】ＴＦＴ基板２４０に薄膜トランジスタを製作する過程で，一つの列に該当する全ての薄膜トラジスタのゲート端子はＴＦＴ基板２４０の一側端部まで延長されるゲートライン２４１に接続されて，ゲートライン２４１と直交する一つの行に該当する全ての薄膜トランジスタのソース端子はＴＦＴ基板２４０の中でゲートライン２４１が延長された一側端部と隣接した他側端部に形成されたデータライン２４２に接続されて，各薄膜トランジスタのドレイン端子には所定面積を持つＩＴＯ材質の薄膜が接続される。このＩＴＯ薄膜は，カラーフィルタ基板２５０の共通電極と対向する画素電極である。
【００５０】一方，ゲートライン２４１は，ＴＦＴ基板２４０の中で実際映像がディスプレイされる有効ディスプレイ領域２４３では等間隔に形成されるが，ゲートテープキャリヤパッケージ２１０との接続を容易にするために有効ディスプレイ領域２４３から非有効ディスプレイ領域２４４，２４３で表記された部分の中で点線の外側部分に出ながら複数個のゲートライン２４１が集合して一つのゲートライングループ２４５を形成する。
【００５１】本実施形態においては，３個のゲートライングループ２４５が存在している。なお，図３には，そのうちの２個のゲートライングループ２４５の一部分が示される。
【００５２】同様に，データライン２４２も実際映像がディスプレイされる有効ディスプレイ領域２４３では等間隔に形成されるが，データテープキャリヤパッケージ２２０との接続を容易にするため有効ディスプレイ領域２４３から非有効２４４領域に出ながら複数個のデータライン２４２が集合して一つのデータライングループ２４６を形成する。
【００５３】本実施形態においては，６個のデータライングループ２４６が存在している。なお，図３には，そのうちの２個のデータライングループ２４６が部分的に図示される。
【００５４】前記６個のデータライングループ２４６及び３個のゲートライングループ２４５の中で最外郭に位置し，互いに最近接位置のデータライングループ２４６及びゲートライングループ２４５によりＴＦＴ基板２４０の非有効ディスプレイ領域２４４の中でＴＦＴ基板２４０の一側面端部及び一側面と隣接した他側面の端部が接する角部分には，所定空間が形成され，第１ゲート駆動信号伝送線２４７が形成される。
【００５５】前記第１ゲート駆動信号伝送線２４７は，最外郭のゲートライングループ２４５の端部が形成されたＴＦＴ基板２４０の側面に一側端部が形成されて，最外郭であるがゲートライングループ２４５と最も近接したデータライングループ２４６の端部が形成されたＴＦＴ基板２４０の側面に他側端部が形成される。
【００５６】このように形成された第１ゲート駆動信号伝送線２４７の一側端部には所定信号が入力される入力端子２４７aが形成されて，他側端部には出力端子２４７ｂが形成される。
【００５７】一方，ゲートライングループ２４５と他のゲートライングループ２４５との間に形成された空間には第２ゲート駆動信号伝送線２４８が形成される。
【００５８】第２ゲート駆動信号伝送線２４８は，ＴＦＴ基板２４０の側面に一側端部が形成されてゲートライングループ２４５と平行に所定距離が延長されてから，隣接したゲートライングループ２４５と直角を形成されるように折曲された状態で所定距離がさらに延長されて隣接したゲートライングループ２４５と平行になるように折曲された後，延長されてＴＦＴ基板２４０の側面に他側端部が形成される。
【００５９】このとき，ゲート駆動信号伝送線２４８の一側端部には入力端子２４８ａが形成されて，他側端部には出力端子２４８ｂが形成される。
【００６０】このように構成されたＴＦＴ基板２４０のゲートライングループ２４５，データライングループ２４６及び第１，第２ゲート駆動信号伝送線２４７，２４８に接続されるゲートテープキャリヤパッケージ２１０及びデータテープキャリヤパッケージ２２０について，図３を参照して，以下に説明する。
【００６１】ゲートテープキャリヤパッケージ２１０は，さらにＦＰＣ２１１，ゲート駆動ドライブＩＣ２１２，ゲート駆動信号入力パターン２１３，ゲート駆動信号第１出力パターン２１４，ゲート駆動信号第２出力パターン２１５から構成される。
【００６２】より具体的には，ゲート駆動ドライブＩＣ２１２は，フレキシブルなベース基板であるＦＰＣ２１１の後面にフリップチップタイプで実装されて，ゲート駆動信号第２出力パターン２１５はゲート駆動ドライブＩＣ２１２が実装されたＦＰＣ２１１面に形成される。このとき，一側端部はゲート駆動ドライブＩＣ２１２のバンプに接続されて，他側端部は異方性導電フィルム２７０を介してゲートライングループ２４５に接続される。
【００６３】かかるゲートテープキャリヤパッケージ２１０に形成されるゲート駆動信号入力パターン２１３及びゲート駆動信号第１出力パターン２１４は，二つの役割をする。
【００６４】即ち，ゲート駆動信号入力パターン２１３は，ＴＦＴ基板２４０に形成された第１ゲート行動信号伝送線（審決注：「第１ゲート駆動信号伝送線」の誤りと認める。）２４７の出力端子２４７ｂからゲート駆動信号の入力を受けてゲート駆動信号ドライブＩＣ２１２に入力させる役割をする。
【００６５】残りのゲート駆動信号第１出力パターン２１４は，ゲート駆動ドライブＩＣ２１２からＴＦＴ基板２４０のゲートライングループ２４５とゲートライングループ２４５との間に形成された第２ゲート駆動信号伝送線２４８の入力端子２４８ａにゲート駆動信号をリレーさせる役割をする。
・・・
【００６９】一方，データテープキャリヤパッケージ２２０は複数個で，複数個のデータテープキャリヤパッケージ２２０はさらにゲート・データ駆動信号兼用テープキャリヤパッケージ２２６とデータ駆動信号専用テープキャリヤパッケージ２２９から構成される。
【００７０】図３に示すように，ゲート・データ兼用テープキャリヤパッケージ２２６はフレキシブルなベース基板であるＦＰＣ２２１，ゲート駆動信号伝送パターン２２３，データ駆動ドライブＩＣ２２２，データ駆動信号入力パターン２２４及びデータ駆動信号出力パターン２２５から構成される。
【００７１】より具体的に説明すると，ＦＰＣ２２１の後面には駆動ドライブＩＣ２２２がフリップチップ方式で実装されて，データ駆動信号入力パターン２２４はデータ駆動ドライブＩＣ２２２と一側端部が接続されて，他側端部は統合印刷回路基板２６０に接続される。
【００７２】また，データ駆動信号出力パターン２２５は，データ駆動ドライブＩＣ２２２に一側端部が接続されて，他側端部はデータライングループ２４２（審決注：「２４６」の誤りと認める。）に異方性導電フィルム２７０を媒介として接続される。
【００７３】また，ゲートデータ兼用テープキャリヤパッケージ２２６のＦＰＣ２２１には，データ駆動信号出力パターン２２５，データ駆動信号入力パターン２２４及びデータ駆動ドライブＩＣ２２２以外にもデータ駆動ドライブＩＣ２２２と接続されないようにゲート駆動信号伝送パターン２２３が形成される。
【００７４】ゲート駆動信号伝送パターン２２３の一側端部は，統合印刷回路基板２６０にソルダリングなどにより接続されて，他側端部は異方性導電フィルム２７０等によりＴＦＴ基板２４０に形成された第１ゲート駆動信号伝送線２４７に入力端子２４７aに接続される。
【００７５】一方，データ駆動信号専用テープキャリヤパッケージ２２９は，ＦＰＣ２２７，データ駆動ドライブＩＣ２２２，データ駆動信号入力パターン２２８，データ駆動信号出力パターン２２９から構成される。
【００７６】ここで，データ駆動信号入力パターン２２８の一側端部は統合印刷回路基板２６０にソルダリングなどの方法により接続されて他側端部はデータ駆動ドライブＩＣ２２２に接続されて，データ駆動信号出力パターン２２９の一側端部はデータ駆動ドライブＩＣ２２２に接続されて他側端部は異方性導電フィルム２７０を媒介としてデータライングループ２４６に接続される。」
　
　ウ　上記イを踏まえて図１ないし図３をみると、液晶表示パネルアセンブリ２００は、液晶表示パネル２４０，２５０と、液晶と、ゲートテープキャリヤパッケージ２１０と、データテープキャリヤパッケージ２２０と、統合印刷回路基板２６０から構成され、ゲートテープキャリヤパッケージ２１０側には印刷回路基板が設けられておらず、また当該印刷回路基板と統合印刷回路基板２６０とを相互に連結する印刷回路も設けられていないことが見て取れる（なお、図１中の「２３０」は「２６０」の誤りと認める。）。
　
　よって、これらの記載を総合すると、引用刊行物１には、次の発明（以下「引用発明１」という。）が記載されていると認められる。
　
「液晶表示パネル２４０，２５０と、液晶と、ゲートテープキャリヤパッケージ２１０と、データテープキャリヤパッケージ２２０と、統合印刷回路基板２６０から構成され、ゲートテープキャリヤパッケージ２１０側には印刷回路基板が設けられておらず、また当該印刷回路基板と統合印刷回路基板２６０とを相互に連結する印刷回路も設けられていない液晶表示パネルアセンブリ２００であって、
　液晶表示パネル２４０，２５０は、ゲートライン及びデータラインと、薄膜トランジスタと、画素電極等を含むＴＦＴ基板２４０と、ＴＦＴ基板２４０より小さく、ＴＦＴ基板２４０に対応するように設置されたカラーフィルタ基板２５０とを含み、
　ＴＦＴ基板２４０に実装されるテープキャリヤパッケージ２１０，２２０は、ＴＦＴ基板２４０に形成された各々のゲートラインに接続されたゲートテープキャリヤパッケージ２１０及びゲートラインに直交するデータラインに接続されたデータテープキャリヤパッケージ２２０から構成され、
　ＴＦＴ基板２４０に実装されたテープキャリヤパッケージ２１０，２２０に電気的に接続された統合印刷回路基板２６０は、ゲートテープキャリヤパッケージ２１０にゲート駆動信号及びデータテープキャリヤパッケージ２２０にデータ駆動信号が入力されてゲート駆動信号及びデータ駆動信号を処理するための多様な部品が実装され、
　カラーフィルタ基板２５０は透明なガラス基板であって、透明ガラス基板の一側面には、共通電極としての役割をするＩＴＯ電極が形成され、
　カラーフィルタ基板２５０と対応するＴＦＴ基板２４０も所定面積を有する透明ガラス基板であって、透明ガラス基板には複数個の薄膜トランジスタが半導体薄膜工程を介してマトリクス形態で製作され、一つの列に該当する全ての薄膜トラジスタのゲート端子はＴＦＴ基板２４０の一側端部まで延長されるゲートライン２４１に接続され、ゲートライン２４１と直交する一つの行に該当する全ての薄膜トランジスタのソース端子はＴＦＴ基板２４０の中でゲートライン２４１が延長された一側端部と隣接した他側端部に形成されたデータライン２４２に接続され、
　ゲートライン２４１は、ゲートテープキャリヤパッケージ２１０との接続を容易にするために複数個のゲートライン２４１が集合して一つのゲートライングループ２４５を形成し、同様に、データライン２４２も、データテープキャリヤパッケージ２２０との接続を容易にするため複数個のデータライン２４２が集合して一つのデータライングループ２４６を形成し、
　前記データライングループ２４６及びゲートライングループ２４５の中で最外郭に位置し、互いに最近接位置のデータライングループ２４６及びゲートライングループ２４５によりＴＦＴ基板２４０の非有効ディスプレイ領域２４４の中でＴＦＴ基板２４０の一側面端部及び一側面と隣接した他側面の端部が接する角部分には、所定空間が形成され、第１ゲート駆動信号伝送線２４７が形成され、
　前記第１ゲート駆動信号伝送線２４７は、最外郭のゲートライングループ２４５の端部が形成されたＴＦＴ基板２４０の側面に一側端部が形成され、最外郭であるがゲートライングループ２４５と最も近接したデータライングループ２４６の端部が形成されたＴＦＴ基板２４０の側面に他側端部が形成され、このように形成された第１ゲート駆動信号伝送線２４７の一側端部には所定信号が入力される入力端子２４７aが形成され、他側端部には出力端子２４７ｂが形成され、
　ゲートテープキャリヤパッケージ２１０は、ＦＰＣ２１１、ゲート駆動ドライブＩＣ２１２、ゲート駆動信号入力パターン２１３、ゲート駆動信号第１出力パターン２１４、ゲート駆動信号第２出力パターン２１５から構成され、ゲート駆動信号第２出力パターン２１５はゲート駆動ドライブＩＣ２１２が実装されたＦＰＣ２１１面に形成され、一側端部はゲート駆動ドライブＩＣ２１２のバンプに接続され、他側端部は異方性導電フィルム２７０を介してゲートライングループ２４５に接続され、ゲート駆動信号入力パターン２１３は、ＴＦＴ基板２４０に形成された第１ゲート駆動信号伝送線２４７の出力端子２４７ｂからゲート駆動信号の入力を受けてゲート駆動信号ドライブＩＣ２１２に入力させる役割をし、
　一方、複数個のデータテープキャリヤパッケージ２２０はゲート・データ駆動信号兼用テープキャリヤパッケージ２２６とデータ駆動信号専用テープキャリヤパッケージ２２９から構成され、
　ゲート・データ兼用テープキャリヤパッケージ２２６はフレキシブルなベース基板であるＦＰＣ２２１、ゲート駆動信号伝送パターン２２３、データ駆動ドライブＩＣ２２２、データ駆動信号入力パターン２２４及びデータ駆動信号出力パターン２２５から構成され、データ駆動信号出力パターン２２５は、データ駆動ドライブＩＣ２２２に一側端部が接続され、他側端部はデータライングループ２４６に異方性導電フィルム２７０を媒介として接続され、ゲート駆動信号伝送パターン２２３の一側端部は、統合印刷回路基板２６０にソルダリングなどにより接続され、他側端部は異方性導電フィルム２７０等によりＴＦＴ基板２４０に形成された第１ゲート駆動信号伝送線２４７の入力端子２４７aに接続され、
　データ駆動信号専用テープキャリヤパッケージ２２９は、ＦＰＣ２２７、データ駆動ドライブＩＣ２２２、データ駆動信号入力パターン２２８、データ駆動信号出力パターン２２９から構成され、データ駆動信号出力パターン２２９の一側端部はデータ駆動ドライブＩＣ２２２に接続され、他側端部は異方性導電フィルム２７０を媒介としてデータライングループ２４６に接続される、液晶表示パネルアセンブリ２００。」
　
（２）引用刊行物２
　原査定の拒絶の理由に引用され、本願の優先日前に頒布された刊行物である特開平８−２３４２３５号公報（以下「引用刊行物２」という。）には、図とともに下記の事項が記載されている。
　
　ア　「【０００１】
【産業上の利用分野】本発明は、液晶マトリクス表示装置に係り、特に、表示パターンに関係なく一定の明るさが得られる高品質で信頼性の高い表示装置に関する。」
　
　イ　「【００１０】本発明の目的は、画質不良を解決し、高信頼性の液晶マトリクス表示装置を提供することにある。」
　
　ウ　「【００１３】
【実施例】
〔実施例１〕図１に、本実施例における液晶マトリクス表示装置の構成例を示す。液晶マトリクス表示装置は、基板１，基板２，複数の走査電極３，走査電極駆動回路４，信号電極駆動回路５，対向電圧供給線６，複数の信号電極７，対向電圧供給点８，ＴＦＴ９，液晶画素１０，対向電極１１，対向電圧接続端子６０，対向電極駆動回路６１，対向電圧分配線８０，８１で構成されている。図面では省略したが基板１と基板２が対向し、両基板間に液晶が封入され液晶マトリクスパネルが構成されている。
【００１４】基板１には、走査電極３，信号電極７，対向電圧供給点８，ＴＦＴ９，対向電圧接続端子６０及び対向電圧分配線８０，８１が形成されている。・・・対向電圧供給点８は、液晶マトリクスパネル周辺部分に配置され、さらに、基板２には、対向電極１１が形成されている。この基板には、必要に応じて赤，緑，青等のカラーフィルタが形成される。
【００１５】図２に、図１におけるＡ−Ｂでの断面図を示す。対向電圧分配線８０と対向電極１１は、対向電圧供給点８を介して電気的に接続されている。また、一つの対向電圧供給線８０に複数の対向電圧供給点８を設けている。
・・・
【００１７】液晶マトリクスパネルには、対向電極駆動回路６１から対向電圧供給線６及び信号電極の近くに設けた複数の対向電極接続端子６０を介して対向電圧Vcomが入力されている。また、信号電極の近く以外に複数の対向電圧供給点８を設け対向電圧分配線８０，８１を経由して対向電極供給点８に対向電圧Vcomが入力されている。入力された対向電圧Vcomは、対向電圧供給点８から対向電極１１に供給されている。
【００１８】本実施例では、・・・複数の対向電圧供給点８を液晶マトリクスパネルの周辺部分に配置できるために液晶マトリクスパネル面内の対向電圧Vcomの波形歪を低減できる。このため、明るさの変動を低減できるとともに、面内ばらつきを小さくできるために高品質の液晶マトリクス表示装置を実現できる。・・・」
　
　エ　上記ウから、対向電極駆動回路６１から入力された対向電圧Vcomは、対向電圧供給点８から対向電極１１に供給される、といえる。
　
　オ　対向電圧供給点８及び対向電圧分配線８０，８１は、（基板１の）走査電極駆動回路４が設けられた側の辺以外の３辺に沿って配置されていること、が図１から見て取れる。
　
　よって、これらの記載を総合すると、引用刊行物２には、次の発明（以下「引用発明２」という。）が記載されていると認められる。
　
「基板１、基板２、複数の走査電極３、走査電極駆動回路４、信号電極駆動回路５、対向電圧供給線６、複数の信号電極７、対向電圧供給点８、ＴＦＴ９、液晶画素１０、対向電極１１、対向電圧接続端子６０、対向電極駆動回路６１、対向電圧分配線８０，８１で構成されている液晶マトリクス表示装置であって、
　基板１と基板２が対向し、両基板間に液晶が封入され、
　基板１には、走査電極３、信号電極７、対向電圧供給点８、ＴＦＴ９、対向電圧接続端子６０及び対向電圧分配線８０，８１が形成され、対向電圧供給点８及び対向電圧分配線８０，８１は、走査電極駆動回路４が設けられた側の辺以外の３辺に沿って配置されており、
　基板２には、対向電極１１が形成され、
　対向電圧分配線８０と対向電極１１は、対向電圧供給点８を介して電気的に接続され、対向電極駆動回路６１から入力された対向電圧Vcomは、対向電圧供給点８から対向電極１１に供給される、液晶マトリクス表示装置。」
　
　
３　対比
　本願発明と引用発明１を対比する。
　
（１）引用発明１の「液晶表示パネルアセンブリ２００」は、「液晶表示パネル２４０，２５０と、液晶と・・・から構成され」るものであって、「液晶表示パネル２４０，２５０は、ゲートライン及びデータラインと、薄膜トランジスタと、画素電極等を含むＴＦＴ基板２４０と、ＴＦＴ基板２４０より小さく、ＴＦＴ基板２４０に対応するように設置されたカラーフィルタ基板２５０とを含」み、また、「ＴＦＴ基板２４０」と「カラーフィルタ基板２５０」とは、それらの間に「液晶」を介在させて合着して液晶パネルを形成しているといえるから、
　ア　引用発明１の「ＴＦＴ基板２４０」、「カラーフィルタ基板２５０」及び「間に『液晶』を介在させて合着した『ＴＦＴ基板２４０』と『カラーフィルタ基板２５０』」は、それぞれ、本願発明の「アレイ（ａｒｒａｙ）基板」、「カラーフィルター基板」及び「（アレイ（ａｒｒａｙ）基板とカラーフィルター基板とが、それらの間に液晶層を介在させて合着し形成された）液晶パネル」に相当し、
　イ　引用発明１は、本願発明の「アレイ（ａｒｒａｙ）基板とカラーフィルター基板とが、それらの間に液晶層を介在させて合着し形成された液晶パネルと」「を備え」との事項を備える。
　
（２）引用発明１の「液晶表示パネルアセンブリ２００」は、「・・・（ＴＦＴ基板２４０に形成された各々のゲートラインに接続された）ゲートテープキャリヤパッケージ２１０と、（ゲートラインに直交するデータラインに接続された）データテープキャリヤパッケージ２２０と・・・から構成され」るものであって、「複数個のデータテープキャリヤパッケージ２２０はゲート・データ駆動信号兼用テープキャリヤパッケージ２２６とデータ駆動信号専用テープキャリヤパッケージ２２９から構成され」、前記「ゲートテープキャリヤパッケージ２１０」は「ＦＰＣ２１１、ゲート駆動ドライブＩＣ２１２・・・から構成され」、前記「ゲート・データ兼用テープキャリヤパッケージ２２６」は「フレキシブルなベース基板であるＦＰＣ２２１、・・・データ駆動ドライブＩＣ２２２・・・から構成され」、前記「データ駆動信号専用テープキャリヤパッケージ２２９」は「ＦＰＣ２２７、データ駆動ドライブＩＣ２２２・・・から構成され」るから、
　ア　引用発明１の「ゲート駆動ドライブＩＣ２１２」、「データ駆動ドライブＩＣ２２２」、「（ＴＦＴ基板２４０に形成された各々のゲートラインに接続され、ゲート駆動ドライブＩＣ２１２等から構成される）ゲートテープキャリヤパッケージ２１０」及び「（ゲートラインに直交するデータラインに接続され、ゲート・データ駆動信号兼用テープキャリヤパッケージ２２６とデータ駆動信号専用テープキャリヤパッケージ２２９から構成され、それぞれデータ駆動ドライブＩＣ２２２等から構成される）データテープキャリヤパッケージ２２０」は、それぞれ、本願補正発明の「ゲートドライバーＩＣ」、「ソースドライバーＩＣ」、「（前記液晶パネルのゲート（ｇａｔｅ）部に付着されゲートドライバーＩＣが搭載された複数個の）ゲートＴＣＰ（Ｔａｐｅ　Ｃａｒｒｉｅｒ　Ｐａｃｋａｇｅ）」及び「前記液晶パネルのソース（ｓｏｕｒｃｅ）部に付着されソースドライバーＩＣが搭載された複数個のソースＴＣＰ（Ｔａｐｅ　Ｃａｒｒｉｅｒ　Ｐａｃｋａｇｅ）」に相当し、
　イ　引用発明１は、本願発明の「前記液晶パネルのソース（ｓｏｕｒｃｅ）部及びゲート（ｇａｔｅ）部に各々付着されゲート及びソースドライバーＩＣが搭載された複数個のソースＴＣＰ（Ｔａｐｅ　Ｃａｒｒｉｅｒ　Ｐａｃｋａｇｅ）及びゲートＴＣＰと」「を備え」との事項を備える。
　
（３）引用発明１の「液晶表示パネルアセンブリ２００」は、「・・・統合印刷回路基板２６０から構成される」ものであって、該「統合印刷回路基板２６０」は、「ＴＦＴ基板２４０に実装されたテープキャリヤパッケージ２１０，２２０に電気的に接続され」、「ゲートテープキャリヤパッケージ２１０にゲート駆動信号及びデータテープキャリヤパッケージ２２０にデータ駆動信号が入力されてゲート駆動信号及びデータ駆動信号を処理するための多様な部品が実装され」たものであり、前記「統合印刷回路基板２６０」が「（データテープキャリヤパッケージ２２０の）データ駆動ドライブＩＣ２２２」に所定の駆動信号を印加するといえるから、
　ア　引用発明１の「統合印刷回路基板２６０」は、本願発明の「（前記ソースＴＣＰと連結されてソースドライバーＩＣに所定の駆動信号を印加する）ソースＰＣＢ（Ｐｒｉｎｔｅｄ　Ｃｉｒｃｕｉｔ　Ｂｏａｒｄ）」に相当し、
　イ　引用発明１は、本願発明の「前記ソースＴＣＰと連結されてソースドライバーＩＣに所定の駆動信号を印加するソースＰＣＢ（Ｐｒｉｎｔｅｄ　Ｃｉｒｃｕｉｔ　Ｂｏａｒｄ）と」「を備え」との事項を備える。
　
（４）引用発明１の「液晶表示パネルアセンブリ２００」は、「（透明ガラス基板である）ＴＦＴ基板２４０」の、非有効ディスプレイ領域２４４の、一側面端部及び一側面と隣接した他側面の端部が接する角部分の所定空間に「第１ゲート駆動信号伝送線２４７」が形成されるものであって、前記「第１ゲート駆動信号伝送線２４７」は、「ＴＦＴ基板２４０」の側面の一側端部に「入力端子２４７ａ」が形成され、「ＴＦＴ基板２４０」の側面の他側端部に「出力端子２４７ｂ」が形成されており、また、前記「入力端子２４７ａ」は「ゲート・データ兼用テープキャリヤパッケージ２２６」の「ゲート駆動信号伝送パターン２２３の他側端部」に「接続され」、「ゲートテープキャリヤパッケージ２１０」の「ゲート駆動信号入力パターン２１３」は、前記「出力端子２４７ｂからゲート駆動信号の入力を受けてゲート駆動信号ドライブＩＣ２１２に入力させる役割を」するから、
　ア　引用発明１の「第１ゲート駆動信号伝送線２４７」は、本願発明の「（前記ソースＰＣＢからの信号を前記ゲートＴＣＰに具備された駆動信号の配線を経てゲートドライバーＩＣに印加するために前記液晶パネルに形成された）ＬＯＧ（Ｌｉｎｅ　Ｏｎ　Ｇｌａｓｓ）配線」に相当し、
　イ　引用発明１は、本願発明の「前記ソースＰＣＢからの信号を前記ゲートＴＣＰに具備された駆動信号の配線を経てゲートドライバーＩＣに印加するために前記液晶パネルに形成されたＬＯＧ（Ｌｉｎｅ　Ｏｎ　Ｇｌａｓｓ）配線とを備え」との事項を備える。
　
（５）引用発明１の「液晶表示パネルアセンブリ２００」は、本願発明の「液晶表示装置」に相当する。
　
（６）引用発明１の「液晶表示パネルアセンブリ２００」は、「ゲートテープキャリヤパッケージ２１０側には印刷回路基板が設けられておらず、また当該印刷回路基板と統合印刷回路基板２６０とを相互に連結する印刷回路も設けられていない」から、引用発明の「液晶表示パネルアセンブリ２００」１は、本願発明の「ゲートＰＣＢ及びＦＰＣがない」との事項を備える。
　
　したがって、両者は、　  
「アレイ（ａｒｒａｙ）基板とカラーフィルター基板とが、それらの間に液晶層を介在させて合着し形成された液晶パネルと、
　前記液晶パネルのソース（ｓｏｕｒｃｅ）部及びゲート（ｇａｔｅ）部に各々付着されゲート及びソースドライバーＩＣが搭載された複数個のソースＴＣＰ（Ｔａｐｅ　Ｃａｒｒｉｅｒ　Ｐａｃｋａｇｅ）及びゲートＴＣＰと、
　前記ソースＴＣＰと連結されてソースドライバーＩＣに所定の駆動信号を印加するソースＰＣＢ（Ｐｒｉｎｔｅｄ　Ｃｉｒｃｕｉｔ　Ｂｏａｒｄ）と、
　前記ソースＰＣＢからの信号を前記ゲートＴＣＰに具備された駆動信号の配線を経てゲートドライバーＩＣに印加するために前記液晶パネルに形成されたＬＯＧ（Ｌｉｎｅ　Ｏｎ　Ｇｌａｓｓ）配線とを備えた、
　ゲートＰＣＢ及びＦＰＣがない液晶表示装置。」
である点で一致し、次の点で相違する。　  
 　 
相違点
　本願発明は、液晶パネル縁部のゲートＴＣＰ接続が接続される辺側を除いた領域にアレイ基板カラーフィルター基板間にトランスファー（ｔｒａｎｓｆｅｒ）及び前記トランスファーを相互に連結するためのコモン配線が形成されてカラーフィルター基板にコモン（ｃｏｍｍｏｎ）電圧が印加されるようにし、ＬＯＧ配線の抵抗を低くして形成するために、前記ＬＯＧ配線はトランスファーを相互に連結するための前記コモン配線は省略され、前記ＬＯＧ配線はゲートドライバーＩＣの駆動信号配線のみで構成されるのに対し、引用発明１は、カラーフィルター基板にコモン（ｃｏｍｍｏｎ）電圧がどのように印加されるのか明らかではない点。
　
　
４　判断
　上記相違点につき検討する。
　カラーフィルタ−基板に形成された共通電極にコモン電圧を印加するためにアレイ基板とカラーフィルタ−基板との間にトランスファーを設けることは本願の優先日時点で周知であるところ、前記２（２）によれば、引用刊行物２には、引用発明２が記載され、基板２に形成された対向電極１１に対向電圧Vcomを供給するために、該基板２と対向する基板１に対向電圧供給点８及び対向電圧分配線８０，８１を形成した液晶マトリクス表示装置において、該対向電圧供給点８及び対向電圧分配線８０，８１を走査電極駆動回路４が設けられた側の辺以外の３辺に沿って配置するものが示されているから、引用発明１の「液晶表示パネルアセンブリ２００」において、「ＴＦＴ基板２４０」の「ゲートテープキャリヤパッケージ２１０」が設けられた側の辺以外の３辺に沿って、「カラーフィルタ基板２５０に形成された（共通電極の役割をする）ＩＴＯ電極」に対向電圧（コモン電圧）を供給する対向電圧供給点及び対向電圧分配線を配置し、「第１ゲート駆動信号伝送線２４７」付近には前記対向電圧供給点及び対向電圧分配線を配置しないものとなし、その結果、「第１ゲート駆動信号伝送線２４７」付近には「ゲート駆動ドライブＩＣ２１２」のゲート駆動信号のための配線である「第１ゲート駆動信号伝送線２４７」のみを設けて、その抵抗を低く形成するようになすことは、当業者が容易になし得ることである。
　
　そして、本願発明によってもたされる効果は、引用発明１、２及び上記周知技術から当業者が予測し得る程度のものである。
　
　したがって、本願発明は、引用刊行物１、２に記載された発明及び周知技術に基いて当業者が容易に発明をすることができたものである。
　
　
５　むすび
　以上のとおり、本願発明は、引用刊行物１、２に記載された発明及び周知技術に基いて当業者が容易に発明をすることができたものであるから、特許法第２９条第２項の規定により特許を受けることができない。
　
　よって、結論のとおり審決する。